(57)【要約】      （修正有）【課題】こめかみのツボのみならずこめかみ以外のツボであっても一つの指圧具を用いて刺激することができる指圧具を提供する。【解決手段】こめかみ及び頭頂部付近を刺激できるような突出部を開環状弾性体の内側面に設け、開環状弾性体の両先端面にもそれぞれ突出部を形成した頭部指圧具により、頭部に装着時にはこめかみ及び頭頂部付近のツボを刺激することができる。また、前記頭部指圧具を手にとって用いることで頭部装着時には刺激することができないツボをも一つの頭部指圧具によって刺激することができる。【選択図】図１
0003145070.tif 000002
【実用新案登録請求の範囲】
【請求項１】
頭部を狭持することができる開環状弾性体であって、
前記開環状弾性体両端部分の互いに対向する内側面に、それぞれ第一の突起部が互いに対面するように設けられ、
前記開環状弾性体の長さ方向の中心部付近の内側面には、該中心部を対称中心として第二の突起部が複数形成され、
前記第一および第二の突起部の先端表面には複数の凸部からなる凸部群が形成され、
前記凸部群を構成する凸部の間隙には、該凸部よりも高さが低く設定された磁性粒体が取付けられ、
前記開環状弾性体の両先端面にはそれぞれ突出部が形成される
ことを特徴とする頭部指圧具。
【考案の詳細な説明】
【技術分野】
【０００１】
本考案は頭部に存在する複数箇所のツボを指圧と同様の効果で同時に刺激することができる頭部指圧具に関する。
【背景技術】
【０００２】
従来、ヘアバンド型の頭部ツボ押器具は側頭部にあるこめかみ部分のツボの刺激を目的とされていた。
【考案の開示】
【考案が解決しようとする課題】
【０００３】
従来のヘアバンド型の頭部ツボ押器具は専ら側頭部にあるこめかみ部分のツボを刺激する目的で考案されているが、その他頭部に点在するツボをも刺激することができる機能を備えたものは考案されていなかった。そのため、こめかみ以外のツボを刺激したい場合には他の指圧具を用意しなければならず利便性が悪かった。
【０００４】
本考案は、こめかみのツボのみならずこめかみ以外のツボであっても一つの指圧具を用いて刺激することができ、携帯性にも優れる指圧具の実現を目的とする。
【課題を解決するための手段】
【０００５】
上記課題を解決するために、本考案に係る頭部指圧具は、頭部を狭持することができる開環状弾性体であって、前記開環状弾性体両端部分の互いに対向する内側面に、それぞれ第一の突起部が互いに対面するように設けられ、前記開環状弾性体の長さ方向の中心部付近の内側面には、該中心部を対称中心として第二の突起部が複数形成され、前記第一および第二の突起部の先端表面には複数の凸部からなる凸部群が形成され、前記凸部群を構成する凸部の間隙には、該凸部よりも高さが低く設定された磁性粒体が取付けられ、前記開環状弾性体の両先端面にはそれぞれ突出部が形成されることを特徴とする。
【０００６】
この考案において、頭部指圧具は逆Ｕ字型に形成された開環状弾性体であって、頭部に装着する際に開環部を開いて装着し、装着すると適度な押圧力により頭部を狭持できることが好ましい。開環状弾性体は可撓性を有する樹脂により形成されることが好ましく、より好ましくはポリプロピレンにより形成されるのがよい。
【０００７】
第一の突起部は、開環状弾性体の両端部分の互いに対向する内側面に、互いに対面するように設けられることにより、頭部指圧具を頭部上方向から装着した際に第一の突起部がこめかみ部分に当接することが好ましい。
【０００８】
第二の突起部は、開環状弾性体の長さ方向の中心部付近の内側面に、該中心部を対称中心として複数形成される。より好ましくは第二の突起部は、一対または二対形成されるのがよい。
【０００９】
第一の突起部および第二の突起部は弾力のある樹脂またはゴム体により形成されていることが好ましく、より好ましくはポリ酢酸ビニルによって形成されていることが良い。
【００１０】
第一の突起部および第二の突起部の表面に形成された凸部群は、第一および第二の突起部と同様に弾力のある樹脂またはゴム体により形成されていることが好ましく、より好ましくはポリ酢酸ビニルによって形成されていることが良い。
【００１１】
前記凸部群を構成する凸部の間隙に取付けられた磁性粒体は永久磁石よりなることが好ましい。
【００１２】
第一の突起部および第二の突起部の表面に形成された凸部は直径１ｍｍ〜２．５ｍｍ、高さ２ｍｍ〜５ｍｍであることが好ましく、磁性粒体は直径１ｍｍ〜２．５ｍｍであり、該凸部よりも高さが０．５ｍｍ〜１ｍｍ低く設定されて取付けられることが好ましい。
【００１３】
開環状弾性体の両先端面に形成された突出部は、弾力のある樹脂またはゴム体により形成されていることが好ましく、より好ましくはポリ酢酸ビニルによって形成されていることが良い。
【００１４】
また好ましくは、突出部の先端は直径３ｍｍ〜６ｍｍの半球状に形成されていることが好ましい。
【００１５】
また好ましくは、該半球状部分が磁性粒体により形成されていてもよい。該磁性粒体は永久磁石よりなることが好ましい。
【考案の効果】
【００１６】
本考案の頭部指圧具は頭部に装着することで、こめかみのツボと頭頂部付近のツボを同時に刺激することができる。これにより、こめかみのツボだけを刺激する場合と比較してリラックス効果を高めることができる。
【００１７】
頭部指圧具を両手に持ち、開環状弾性体を適度に閉環させながら両先端面に設けられた突出部を眉頭の凹陥部に押し当てることで眉頭の凹陥部にあるツボを刺激することができる。眉頭の凹陥部にあるツボは狭い部分にあるため、本考案の頭部指圧具を使用することで、的確に刺激することができる。
【００１８】
本考案に係る頭部指圧具によると通常は頭部に装着していればこめかみ及び頭頂部付近のツボを刺激することができ、また、他のツボを刺激したくなった場合にも本考案に係る頭部指圧具を手にとってツボを刺激することができるので携帯性に優れている。
【考案を実施するための最良の形態】
【００１９】
以下に、本考案による頭部指圧具の実施形態について図面を参照しながら詳細に説明する。
【００２０】
図１は本願考案に係る頭部指圧具１の正面図である。頭部指圧具１は頭部を狭持して使用するため、可撓性を有する逆Ｕ字型形状に形成された開環状弾性体２を本体部分とする。開環状弾性体２はポリプロピレンを使用して成形されている。
【００２１】
開環状弾性体２の両先端部の内側面にはそれぞれ第一の突起部３が設けられている。第一の突起部３は、頭部指圧具１を頭部上方向から装着した場合にこめかみ部分に当接するように配置されている。開環状弾性体２の内側面であり、長さ方向の中心を対称中心として５ｃｍ〜６ｃｍ互いに離隔した位置には一対の第二の突起部４が形成されている。また、開環状弾性体２の両先端面にはそれぞれ突出部５が形成される。
【００２２】
図２に示されるように、第一の突起部３は開環状弾性体を貫通して取付けられている。第一の突起部３の先端表面には、凸部群Ａが形成され、該凸部群Ａを形成する凸部ａの間隙には該凸部ａよりも高さが１ｍｍ低くなるように設定された永久磁石ｂが複数取付けられている。凸部ａと永久磁石ｂは交互に間隔を置いて碁盤目状に配置されている。第一の突起部３及び凸部群Ａはポリ酢酸ビニルによって形成されている。また、突出部５は開環状弾性体２先端面から取付け部５ａを内嵌合されて取付けられている。突出部５はポリ酢酸ビニルによって形成されており、突出部５の先端には永久磁石５ｂが取付けられている。
【００２３】
図３に示されるように、第二の突起部４は開環状弾性体を貫通して取付けられている。第二の突起部４の先端表面には凸部群Ｃが形成され、該凸部群Ｃを形成する凸部ｃの間隙には該凸部ｃよりも高さが１ｍｍ低くなるように設定された永久磁石ｄが複数取付けられている。第二の突起部４及び凸部群Ｃはポリ酢酸ビニルによって形成されている。凸部ｃと永久磁石ｄの配置は凸部群Ａの場合と同様に交互に間隔を置いた碁盤目状に配置されている。
【００２４】
図４に示すように、使用者は頭部指圧具１を手で開き頭部上方から装着し、左右のこめかみに第一の突起部３上に形成された凸部群Ａが当接するように位置調整して使用する。このように頭部指圧具１が装着されると、頭頂部付近に設けられた第二の突起部４上に形成された凸部群Ｃによって頭頂部付近にあるツボも刺激することができ、こめかみと頭頂部付近の複数のツボを一度に刺激することができる。
【００２５】
図５に示されるように、使用者は頭部指圧具１を頭部に装着したまま使用することができるだけでなく、頭部指圧具１を両手に持ち、一対の突出部５どうしを適度に狭めながら突出部５を眉頭の凹陥部に押し当てることで眉頭の凹陥部にあるツボを刺激することができる。
【００２６】
また図６に示されるように、頭部指圧具１を両手に持ち、一対の突出部５どうしを適度に狭めながら突出部５を首の後ろの窪みであって耳たぶ下端と同程度の高さにあるツボに押し当てて刺激することもできる。
【図面の簡単な説明】
【００２７】
【図１】頭部指圧具１の正面図
【図２】第一の突起部３及び突出部５の拡大図
【図３】第二の突起部４の拡大図
【図４】頭部指圧具１を頭部に装着して使用する場合の図
【図５】頭部指圧具１を用いて眉頭の凹陥部にあるツボを刺激する場合の図
【図６】頭部指圧具１を用いて首の後ろのツボを刺激する場合の図
【符号の説明】
【００２８】
１  頭部指圧具
２  開環状弾性体
３  第一の突起部
４  第二の突起部
５  突出部
Ａ  凸部群
Ｃ  凸部群
ａ  凸部
ｂ  永久磁石
ｃ  凸部
ｄ  永久磁石
【図１】
0003145070.tif 000003
【図２】
0003145070.tif 000004
【図３】
0003145070.tif 000005
【図４】
0003145070.tif 000006
【図５】
0003145070.tif 000007
【図６】
0003145070.tif 000008